(57)【特許請求の範囲】
【請求項１】
室内をフリーアクセスフロアによって上層のサーバ室と下層の床下空間とに区分した二層構造とし、
前記サーバ室に多数のサーバラックを配列し、各列のサーバラックの間に給気ゾーンと還気ゾーンを交互に取り付け、
前記室内に設置した空調機から供給する冷却した空気を、前記床下空間からフリーアクセスフロアを通って前記サーバ室の給気ゾーンに供給し、前記サーバラックを通過した空気が前記還気ゾーンを通って前記空調機に戻るように循環させるサーバ室の空調システムであって、
前記給気ゾーンのフリーアクセスフロアは通気可能な孔開きの床パネルを配列して構成され、一部の前記床パネルに、該床パネルと同一形状で着脱可能なカーペットを設置して通気を阻止し、該カーペットの設置位置を変えることで前記サーバラックの冷却温度を調整するようにしたことを特徴とするサーバ室の空調システム。
【請求項２】
前記給気ゾーンのフリーアクセスフロアは、前記空調機から比較的遠い領域に比較的近接した領域よりも前記カーペットを多く配置させたことを特徴とする請求項１に記載のサーバ室の空調システム。
【請求項３】
前記給気ゾーンのフリーアクセスフロアは、比較的低温のサーバラックを備えた領域には比較的高温のサーバラックを備えた領域よりも前記カーペットを多く配置させたことを特徴とする請求項１または請求項２に記載のサーバ室の空調システム。
【発明の詳細な説明】
【技術分野】
【０００１】
本発明は、例えばデータセンターや電算センター等においてコンピュータやＩＴ機器等のサーバをサーバラックに収納して空調するサーバ室の空調システムに関する。
【背景技術】
【０００２】
この種の空調システムでは、サーバを収容したサーバラック群に対する冷却を効率的に行う目的で、サーバ室内に配列されたサーバラック列の間に交互に形成したコールドアイルとホットアイルを形成する所謂コールドアイル・ホットアイル空調方式によるものが主流となっている。
【０００３】
例えば特許文献１に記載された空調システムでは、中央部に穴を開けた床板を備えたフリーアクセスフロアによって上層と下層を仕切ることで二重床とし、床板に代えて適宜の位置に格子状の開口を有するガラリを設置している。下層の空間に設けた空調機から冷気を吹き出して、フリーアクセスフロアを通してサーバを備えたサーバ室に冷気を供給している。
【０００４】
そして、床下の冷気の流れの状態を観測して乱れが生じている箇所において、フリーアクセスフロアの床板の下面に接続板を介して補助板を取り付けている。補助板を設置することで床下空間の断面を変化させて流れの状態を調節して乱れのない流れにし、冷気の必要な箇所に効率良く少ないエネルギーで送風するとしている。補助板は厚さを変更して、冷気の流れが左右に広がるのを限定したり、冷気の流線が乱れないように整流効果のある形状のもの等を必要に応じて選択できるとしている。
【先行技術文献】
【特許文献】
【０００５】
【特許文献１】特開２０１０−１９５０３号公報
【発明の概要】
【発明が解決しようとする課題】
【０００６】
ところで、従来のサーバ室の空調システムでは、コンピュータ機器等の進化によってラック当たりのサーバの負荷密度や電気容量が増大する傾向にあり、サーバ室の空調能力が不足していた。その一方で、空調機の増設はスペースの関係で困難であるため、従来の空調システムでは十分に冷却しきれなかった。
特許文献１に記載された空調システムでは、床下空間における床板やガラリの下側に接続板を介して厚さの異なる補助板を固定したり、ガラリ補助板を取り付けたりして、サーバ室への冷気の流れを制御するため、床下空間での冷気の吹き出し調整機構が複雑で部品点数が多く、コスト高になっていた。
【０００７】
また、従来の空調システムでは、上層の床面に配列されたサーバラックの配列方向に沿って空調機から床下空間に高速で冷気が吹き出されるため、空調機に近接する側では高速の冷気流によってコールドアイルの空間内の空気が下方に引っ張られて、上層のサーバ室からフリーアクセスフロアを介して下層の床下空間に空気が流れる誘引現象が起きていた。
【０００８】
一方、床下空間における空調機から比較的遠い領域では、次第に冷気の吹き出し速度が低下するため、冷気はフリーアクセスフロアを通してサーバ室のコールドアイルに大量に流入してサーバラックを過剰に冷却する。そのため、空調機に近接する側のサーバラックに十分冷気が吹き出さない一方で、空調機から遠い側のサーバラックには冷却空気が必要以上に届きすぎるという冷却ムラの不具合が発生していた。そのため、サーバ室全体におけるサーバラックの冷却が十分できなかった。
【０００９】
本発明は、上述した課題に鑑みてなされたものであり、多数配列されたサーバラックの冷却ムラを低減して、低コストでより均等に冷却できるようにしたサーバ室の空調システムを提供することを目的とする。
【課題を解決するための手段】
【００１０】
本発明に係るサーバ室の空調システムは、室内をフリーアクセスフロアによって上層のサーバ室と下層の床下空間とに区分した二層構造とし、サーバ室に多数のサーバラックを配列し、各列のサーバラックの間に給気ゾーンと還気ゾーンを交互に取り付け、室内に設置した空調機から供給する冷却した空気を、床下空間からフリーアクセスフロアを通ってサーバ室の給気ゾーンに供給し、サーバラックを通過した空気が還気ゾーンを通って空調機に戻るように循環させるサーバ室の空調システムであって、給気ゾーンのフリーアクセスフロアは通気可能な孔開きの床パネルを配列して構成され、一部の床パネルに、該床パネルと同一形状で着脱可能なカーペットを設置して通気を阻止し、該カーペットの設置位置を変えることでサーバラックの冷却温度を調整するようにしたことを特徴とする。
本発明では、給気ゾーンのフリーアクセスフロアに通気可能な孔開きの床パネルを配列し、一部の床パネルにカーペットを設置することで冷気が給気ゾーンへ通気することが阻止され、カーペットを設置しない孔開きの床パネルからのみ冷気が給気ゾーンに供給されてサーバラックを冷却する。そのため、空調機から供給される冷気の速度や多数のサーバラックの温度変化に応じて通気する床パネルと通気しない床パネルをカーペットの着脱によって選択することで、例えば給気ゾーンから床下空間へ空気が流れる誘引現象を阻止したり、比較的高温のサーバラック周辺には孔開きの床パネルを相対的に多く配置して供給する冷気量を増やして冷却したりできる。そのため、ファンやローカル空調機等を追加設置しなくても、多数配列されたサーバラックの冷却ムラを低減して、低コストでより均等に冷却できる。
また、本発明では、給気ゾーンのフリーアクセスフロアに孔開きの床パネルを敷き並べて一部の床パネルにはカーペットを載置して通気を阻止することで、残りの孔開きの床パネルを通して冷気を給気ゾーンに供給してサーバラックを冷却できる。そのため、１種類の床パネルでカーペットの有無の選択によって誘引現象を阻止したり比較的高温のサーバラックに冷気を集めたりして、給気ゾーン全体でより均等にサーバラックを冷却でき、ローコストでサーバ室の温度環境の調整ができる。
【００１１】
また、本発明に係るサーバ室の空調システムにおいて、前記給気ゾーンのフリーアクセスフロアは、前記空調機から比較的遠い領域に比較的近接した領域よりも前記カーペットを多く配置させてもよい。
本発明では、床下空間で空調機から高速で吹き出す冷気は空調機から遠い奥側の行き止まり付近に近づくと低速になるが、空調機から比較的遠い領域では通気しない床パネル（カーペット）を比較的多く設置したため冷気の一部は通気可能な床パネルから給気ゾーンに供給されるが、残りの冷気は床下空間に留まったり空調機側に戻ったりする。そのため、空調機に近接する側では、給気ゾーンから床下空間に空気が吸引される誘引現象が抑えられ、しかも通気可能な床パネルが多いため比較的多くの冷気がサーバ室の給気ゾーンに供給されてサーバラックを冷却するため、給気ゾーンのサーバラック全体をより均等に冷却することができる。
【００１２】
また、本発明に係るサーバ室の空調システムにおいて、前記給気ゾーンのフリーアクセスフロアは、比較的低温のサーバラックを備えた領域には比較的高温のサーバラックを備えた領域よりも前記カーペットを多く配置させてもよい。
本発明によれば、空調機から床下空間に吹出される冷気は、給気ゾーンの比較的高温のサーバラックを備えた領域では通気可能な床パネルが多いため比較的大量の冷気が給気ゾーンに供給されて高温のサーバラックを良く冷却し、また比較的低温のサーバラックを備えた領域では通気可能な床パネルが比較的少ない（カーペットを多く配置した）ため比較的少量の冷気が給気ゾーンに供給されて低温のサーバラックを冷却する。これによって、給気ゾーンのサーバラック全体をより均等に冷却することができる。
【発明の効果】
【００１５】
本発明に係るサーバ室の空調システムは、給気ゾーンにおけるフリーアクセスフロアを構成する孔開きの床パネルの一部にカーペットを着脱して調整することで、給気ゾーンに供給する冷気の量を調整することができて、サーバ室のサーバラックの冷却をより均等に行うことができる。
また、本発明は、空調機から比較的遠い領域に比較的近接した領域よりも通気しない床パネルを多く配置させることで誘引現象を防いで、サーバラックの冷却をより均等に行うことができる。
また、本発明は、各サーバラックの温度が異なる場合でも比較的高温のサーバラックを備えた領域に比較的低温のサーバラックを備えた領域よりも通気可能な床パネルを多く配置させることで、高温のサーバラックへの冷気の供給を増やしてサーバラックの冷却をより均等に行うことができる。
【００１６】
また、本発明に係るサーバ室の空調システムによれば、床下空間内にファンやローカル空調機等を設置することなく、また空調機の容量や運転条件を変更しなくても、床パネルの通気性を調整することで、空調温度環境を変化させることができて冷却ムラを調整できるため、簡単且つ低廉にサーバラックの冷却効率を調整できる。
【図面の簡単な説明】
【００１７】
【図１】本発明の第一実施形態によるサーバ室の空調システムを示す縦断面図である。
【図２】図１に示すサーバ室におけるフリーアクセスフロアの床パネルの配列状態を示す要部平面図である。
【図３】（ａ）は図２に示す孔開き床パネルの斜視図、（ｂ）は孔なし床パネルの斜視図である。
【図４】孔開き床パネルとカーペットの配置例を示す平面図である。
【図５】（ａ）は従来のサーバ室における床パネルに対する冷気の流れを示す断面説明図、（ｂ）は実施形態によるサーバ室における床パネルに対する冷気の流れを示す断面説明図である。
【図６】実施例におけるサーバ室の床パネル配置例を示す平面図である。
【図７】図６における床パネル配置例に対するサーバラックの温度分布を示す解析例の図である。
【図８】図７におけるＡ−Ａ線断面で示す給気ゾーンの温度分布を示す図である。
【図９】比較例におけるサーバ室の床パネル配置例を示す平面図である。
【図１０】図９における床パネル配置例に対するサーバラックの温度分布を示す解析例の図である。
【図１１】図１０におけるＢ−Ｂ線断面で示す給気ゾーンの温度分布を示す図である。
【図１２】本発明の第二実施形態による給気ゾーンにおける床パネルの配置を示す要部平面図である。
【発明を実施するための形態】
【００１８】
以下、本発明の実施形態によるサーバ室の空調システムについて添付図面により説明する。
（第一実施形態）
本発明の第一実施形態によるサーバ室の空調システムについて図１乃至図５に基づいて説明する。図１及び図２に示すように本実施形態によるサーバ室３の空調システムにおいて、室１は通風可能なフリーアクセスフロア２によって上層のサーバ室３と下層の床下空間４とに分かれた二重構造とされている。サーバ室３はコンピュータやその他のＩＴ機器等のサーバを収容したサーバラック５が設置されており、一列に配列されたサーバラック５が所定の間隔を開けて複数列配列されている。
【００１９】
そして、図２に示すように、サーバ室３における各列のサーバラック５の間にコールドアイルとしての給気ゾーン７とホットアイルとしての還気ゾーン８とが交互に配列されている。給気ゾーン７は例えば両側の列のサーバラック５の上部が図示しない遮蔽板によって覆われることで区画されている。そのため、床下空間４からフリーアクセスフロア２を介して給気ゾーン７に供給された冷気は両側のサーバラック５の列に流入してサーバを冷却して熱交換し、高温となった空気は還気ゾーン８に排出されて天井側に送られる。
また、室１の一端部にはサーバ室３の天井部と床下空間４とにまたがって空調機室１２が設けられている。空調機室１２とサーバ室３及び床下空間４とは仕切り壁１１によって区画され、仕切り壁１１の上部にはサーバ室３の天井部と空調機室１２の上部とを連通する通気口１１ａが形成され、下部には空調機室１２の下端部に連通して床下空間４に送風口を設けた空調機１０が設置されている。
【００２０】
そして、床下空間４において、空調機１０はその送風口から吹き出された冷気が給気ゾーン７の下側をサーバラック５の配列方向に沿って送風されるように配置されている。そのため、サーバ室３において、還気ゾーン８から天井側に送られた高温の空気は仕切り壁１１の通気口１１ａから空調機室１２に吸引され、その下側で空調機１０によって冷気に置換されて床下空間４に強く吹き出される。なお、図１に示す例では、サーバー室３と空調機室１２を仕切り壁１１で仕切っているが、仕切り壁１１のない空調システムでもよい。
【００２１】
次に床下空間４とサーバ室３を仕切るフリーアクセスフロア２について説明する。フリーアクセスフロア２において両側にサーバラック５を配列した給気ゾーン７では、例えば図３（ａ）に示すように正方形板状で複数の孔を有する孔開き床パネル１４（以下、単に床パネル１４ということがある）を敷き詰めることで形成されている。床パネル１４は四角形板状で複数の孔を配列したパネル板１４ａとその下に設けた脚部１４ｂとを備えている。パネル板１４ａの孔の形状は任意である。図４に示すように、床パネル１４の上にはパネル板１４ａと同一形状のカーペット１５が載置されている。また、図３（ｂ）に孔なし床パネル１８を示す。孔なし床パネル１８は孔のないパネル板１８ａと脚部１８ｂとを備えており、パネル板１８ａは孔開き床パネル１４のパネル板１４ａと孔の有無を除いて同形同大とされている。第一実施形態や後述する第二実施形態において、カーペット１５の位置に孔なし床パネル１８を設置する構成を採用することもできる。
また、給気ゾーン７とサーバラック５以外の還気ゾーン８を含む周辺領域(網目模様で示す)では孔なし床パネル１８を設置する。後述する他の実施形態等の図でも同様とする。
【００２２】
図４に示すように、床パネル１４はパネル板１４ａの孔を通して冷気を床下空間４からサーバ室３に送風可能であり、床パネル１４にカーペット１５を敷いたものは冷気供給停止の点で孔なしパネル１８と同等の効果を有している。パネル板１４ａの上にカーペット１５を敷くことで孔からの冷気の送風を阻止できる。そのため、床パネル１４に対するカーペット１５の載置の有無を選択することでサーバ室３への冷気の供給とその停止を選択できる。図４に示す例では、図３に示す４枚の孔開き床パネル１４のうちの３枚にカーペット１５を載置し、残りの一枚の床パネル１４の上にカーペット１５を載置しない。このように給気ゾーン７のフリーアクセスフロア２に敷き並べた複数の孔開き床パネル１４のうち任意の床パネル１４を選択してカーペット１５を載置することでサーバ室３に冷気を供給する床パネル１４を選択でき、サーバラック５への冷気供給量、供給位置を調整の上、効率的なサーバラック５の冷却ができる。
【００２３】
本実施形態によるサーバ室３の空調システムは上述した構成を備えており、次にその作用について説明する。
従来のサーバ室３の空調システムでは、給気ゾーン７におけるフリーアクセスフロア２の床パネル１４はすべて孔開きタイプのものを敷き並べた。この状態で空調機１０の送風口から冷気を床下空間４に供給すると、図５（ａ）に示すように、空調機１０に近接する側では冷気は高速で吹き出されるため、給気ゾーン７内の空気が冷気に引っ張られてサーバ室３から各床パネル１４を通って床下空間４に流れる誘引現象が起きる。そのため、この領域では給気ゾーン７に供給される冷気は小量で空調機１０に近接するサーバラック５の冷却は不十分になる。
一方、空調機１０から比較的遠い床下空間４では次第に冷気の速度が低下するため誘引現象は起きず、奥側に流れる冷気は複数の孔開き床パネル１４を通して給気ゾーン７に大量に流入してサーバラック５を過剰に冷却するというアンバランスな冷却効果しか得られない。
【００２４】
これに対し、本実施形態によるサーバ室３の空調システムでは、例えば図２に示すように、給気ゾーン７におけるフリーアクセスフロア２の孔開き床パネル１４のうち空調機１０から遠い側の床パネル１４に例えば千鳥状にカーペット１５を載置して一部の遠い側の床パネル１４を閉鎖し、空調機１０に近接する側の床パネル１４にはカーペット１５を載置しないものとする。
【００２５】
この状態で、空調機１０から高速で吹き出される冷気は、図５（ｂ）に示すように、床下空間４の奥側が行き止まりであり、しかも空調機１０から遠い側のフリーアクセスフロア２は床パネル１４の一部がカーペット１５で閉鎖されている。そのため、空調機１０から吹き出された冷気の速度が低下した奥側では、残りの孔開き床パネル１４から冷気が給気ゾーン７に供給され、その両側のサーバラック５をほどよく冷却する。
しかも、一部の冷気は床下空間４の奥側で滞留し、空調機１０に近接する側に戻る。そのため、空調機１０に近接する側で高速の冷気が吹き出されても誘引現象は起きない。また、空調機１０に近接する側ではフリーアクセスフロア２の孔開き床パネル１４はいずれもカーペット１５が設置されていないから、冷気は孔開き床パネル１４を通ってより多く給気ゾーン７に供給されて、その両側のサーバラック５を良く冷却する。
【００２６】
従って、空調機１０から床下空間４に高速で吹き出される冷気は空調機１０に近接する側と遠い側とでバランスよくフリーアクセスフロア２の孔開き床パネル１４を通ってサーバ室３に流入する。そのため、給気ゾーン７の両側に配列された各列のサーバラック５の全体に冷気が流入して均等に冷却できる。
そして、各サーバラック５を冷却した空気は熱交換して高温となって還気ゾーン８に排出されてサーバ室３の天井側に送られ、次いで仕切り壁１１の通気口１１ａを通って空調機室１２に供給されて空調機１０に戻される。
【００２７】
上述のように本第一実施形態によるサーバ室３の空調システムは、給気ゾーン７のフリーアクセスフロア２に孔開き床パネル１４を敷き並べてその上の適宜位置を選択してカーペット１５を載置し、床下空間４からサーバ室３の給気ゾーン７に供給される冷気の量を調整できるようにしたため、各列のサーバラック５の冷却ムラを低減できる。しかも１種類の床パネル１４で行うことができる。
また、本実施形態によれば、給気ゾーン７の空調機１０に近接する側の床パネル１４にカーペット１５を設けず、床パネル１４から遠い側の床パネル１４の一部をカーペット１５で覆って通気の一部を阻止したことで、空調機１０に近接する側での誘引現象を阻止して、給気ゾーン７に供給される冷気をより均等に調整して両側のサーバラック５を効率よく冷却できる。
【００２８】
（実施例）
次に上述した第一実施形態によるサーバ室３の空調システムについて行った解析例について実施例と比較例により図６から図１１によって説明する。
図６は実施例に示すサーバ室３における孔開き床パネル１４とカーペット１５の配列構造を示す平面図であり、図２と同様に給気ゾーン７における空調機１０から遠い側の床パネル１４にカーペット１５を例えば千鳥状に配列し、空調機１０に近い側の床パネル１４にカーペット１５を設置しない構成を採用した。しかも、サーバ室３内において仕切り壁１１によってサーバ室３や床下空間４と仕切られた空間内に設けた空調機１０はいずれも給気ゾーン７に対向しており、そのうちの中央の２つの空調機１０Ａは停止しており、他の空調機１０が故障したときのスペア用である。
図６に示す実施例の構造におけるサーバ室３の空調システム稼働時における温度変化の解析例を示すと図７のようになる。図７に示すサーバ室３におけるＡ−Ａ線に沿った即ち給気ゾーン７に沿ったサーバラック５の温度変化を示すと図８に示すようになる。なお、図７では温度分布を濃淡の色変化で示している。
【００２９】
一方、図９は比較例に示すサーバ室３における孔開き床パネル１４の配列構造を示す平面図であり、給気ゾーン７に配列した床パネル１４にカーペット１５を載置していない。なお、室１内におけるサーバ室３や床下空間４、空調機１０の配列は上述した実施例と同じである。
図９に示す比較例の構造におけるサーバ室３の空調システム稼働時における温度変化の解析例を示すと図１０のようになる。図１０に示すサーバ室３の空調システムにおけるＢ−Ｂ線に沿った即ち給気ゾーン７に沿ったサーバラック５の温度変化を示すと図１１に示すようになる。なお、図１０でも温度分布を濃淡の色変化で示している。
【００３０】
図８に示す実施例では、各給気ゾーン７のサーバラック５が並ぶ方向の温度分布が、各ラック全体で２０℃〜２７℃程度に保持されており、冷却効果が高く温度ムラも少ない。図１１に示す比較例では誘引現象の影響もあって冷却供給量のバランスが悪く、給気ゾーンの温度分布で温度ムラが大きくなる傾向があった。
【００３１】
なお、本発明によるサーバ室３の空調システムは、上述の実施形態に限定されるものではなく、その要旨を逸脱しない範囲で種々の変更や置換等が可能であり、これらの場合も本発明の技術的範囲に含まれる。以下に本発明の変形例について上述した実施形態と同一または同様な部分、部材には同一の符号を用いて説明する。
【００３２】
（第二実施形態）
次に本発明の第二実施形態によるサーバ室３の空調システムについて説明する。
【００３３】
図１２に示すサーバ室３の空調システムでは、給気ゾーン７で対向するサーバラック５の一部が他のサーバラック５よりも電気容量が大きい高負荷ラックのために高温の傾向があるものとし、これらの高温のサーバラック５を符号５Ｋで表すものとする。この場合、給気ゾーン７のフリーアクセスフロア２において高温のサーバラック５Ｋの付近に孔開き床パネル１４を多く配列し、床下空間４からサーバ室３への通風性を上げるようにする。
さらに、空調機１０に対向する給気ゾーン７において、高温のサーバラック５Ｋの領域を挟んで空調機１０に近接する側と空調機１０から遠い側とで孔開き床パネル１４と孔なし床パネル１８（またはカーペット１５を敷いた穴開きパネル１４）を例えば千鳥状に配列する構成とする。
【００３４】
このような構成を採用したサーバ室３の空調システムでは、空調機１０から高速で床下空間４に吹き出される冷気は空調機１０から遠い側では孔開き床パネル１４と孔なし床パネル１８（またはカーペット１５を敷いた穴開きパネル１４）が交互に配列され且つその奥側が行き止まりであるため、一部はフリーアクセスフロア２の孔開き床パネル１４からサーバ室３の給気ゾーン７に供給されて各サーバラック５を適度に冷却する。また、残りの冷気は空調機１０側に戻されるため、孔開き床パネル１４と孔なし床パネル１８（またはカーペット１５を敷いた穴開きパネル１４）を配列した空調機１０に近接する側でも誘引現象を抑制して冷気が孔開き床パネル１４から給気ゾーン７に供給されて各サーバラック５を適度に冷却する。
【００３５】
一方、これら空調機１０に近接する側と遠い側の間の高温のサーバラック５Ｋの領域では、フリーアクセスフロア２に孔開き床パネル１４だけが配列されているために比較的大量の冷気が床下空間４から給気ゾーン７に供給されて、比較的高温のサーバラック５Ｋに流入して効率よく冷却する。そのため、給気ゾーン７の全体において比較的高温のサーバラック５Ｋを含めてその前後のサーバラック５も効率良く冷却し、全体にほぼ均等に冷却することができる。
【００３６】
なお、図１２に示す給気ゾーン７におけるフリーアクセスフロア２の全体に孔開き床パネル１４を敷き並べ、孔なし床パネル１８に対応する位置にカーペット１５を千鳥状に載置してもよい。
また、上述した各実施形態で説明した孔空き床パネル１４とカーペット１５の組み合わせ、孔空き床パネル１４と孔なし床パネル１８の組み合わせは一例にすぎず、本発明は給気ゾーン７における多数のサーバラック５の温度変化に応じて孔空き床パネル１４とカーペット１５の組み合わせ、孔空き床パネル１４と孔なし床パネル１８の組み合わせを任意の配列に設定して、各サーバラック５を均等に冷却することができる。
上述の実施形態では室１の一端部に空調機室１２を設けたケースについて説明したが、これに限定されることなく、例えば室１の両端部に空調機室１２を設置してもよい。
【符号の説明】
【００３７】
１  室
２  フリーアクセスフロア
３  サーバ室
４  床下空間
５  サーバラック
７  給気ゾーン(コールドアイル)
８  還気ゾーン（ホットアイル）
１０  空調機
１２  空調機室
１４  孔開き床パネル
１５  カーペット
１８  孔なし床パネル
【図１】
0006471969.tif 000002
【図２】
0006471969.tif 000003
【図３】
0006471969.tif 000004
【図４】
0006471969.tif 000005
【図５】
0006471969.tif 000006
【図６】
0006471969.tif 000007
【図７】
0006471969.tif 000008
【図８】
0006471969.tif 000009
【図９】
0006471969.tif 000010
【図１０】
0006471969.tif 000011
【図１１】
0006471969.tif 000012
【図１２】
0006471969.tif 000013